(57)【特許請求の範囲】
【請求項１】
物質を含む流れを濾過するためのフィルタカプセルと、
ハウジングと、
前記ハウジング内に配置される、前記流れを前記フィルタカプセルへ供給するための入口バルブ、および、前記流れを前記フィルタカプセルから送出するための出口バルブと、
前記ハウジング内に配置されるキャリッジアセンブリであって、前記フィルタカプセルを受けて保持するためのフィルタトレイと、前記キャリッジアセンブリを初期装填位置と最終位置との間で移動させるために前記フィルタトレイに動作可能に取り付けられる昇降アームと、前記入口バルブおよび前記出口バルブを作動させるために前記フィルタトレイに動作可能に取り付けられるバルブアクチュエータとを備え、前記バルブアクチュエータは、前記フィルタトレイ内への前記フィルタカプセルの挿入に応じて、前記バルブアクチュエータが前記入口バルブおよび前記出口バルブを開かない非作用位置と、前記バルブアクチュエータが前記入口バルブおよび前記出口バルブを開く作用位置との間で移動する、キャリッジアセンブリと、
開位置と閉位置との間で移動するように前記ハウジングに回転可能に装着されるハンドルを備える昇降アセンブリであって、前記ハンドルは、該ハンドルの移動に応じて前記昇降アームが前記初期装填位置と前記最終位置との間で移動するように前記昇降アームに動作可能に接続され、前記昇降アームは、前記ハンドルが前記開位置にあるときに前記フィルタトレイが前記フィルタカプセルを受けることができるように前記初期装填位置に配置され、前記昇降アームおよび前記バルブアクチュエータが、前記ハンドルの前記閉位置への移動に応じて前記作用位置に上昇される、昇降アセンブリと、を備え、
前記入口バルブおよび前記出口バルブはそれぞれ、前記流れが当該バルブを通過できるようにする通路と、前記流れが前記通路を通過することを防止する閉位置と前記流れが前記通路を通過して前記フィルタカプセルと通じることができるようにする開位置との間で移動するピンチアームとを備え、前記ピンチアームは、前記バルブアクチュエータが前記作用位置にありかつ前記ハンドルが前記閉位置にあるときに前記開位置に移動して前記入口バルブおよび前記出口バルブを開く、
フィルタマニホールドシステム。
【請求項２】
前記バルブアクチュエータが、ベースと、前記バルブアクチュエータを前記非作用位置へ向けて付勢するアクチュエータスプリングと、前記ベースに取り付けられるとともに、前記フィルタカプセルが前記フィルタトレイ内へ挿入されるときの前記フィルタカプセルの経路内へ突出して前記フィルタカプセルが前記バルブアクチュエータを前記作用位置に移動させることができるようにするべく配置される、少なくとも１つの外側に突出するピンとを備える、請求項１に記載のフィルタマニホールドシステム。
【請求項３】
前記バルブアクチュエータが、前記ベースに取り付けられる複数の脚を備え、前記脚は、前記バルブアクチュエータが前記作用位置にありかつ前記キャリッジアセンブリが前記最終位置にあるときに前記脚が前記入口バルブおよび前記出口バルブと係合して前記ピンチアームを前記開位置に移動させるように、および、前記バルブアクチュエータが前記非作用位置にありかつ前記キャリッジアセンブリが前記最終位置にあるときに前記脚が前記入口バルブおよび前記出口バルブと係合せずに前記入口バルブおよび前記出口バルブが閉位置のままであるように、前記入口バルブおよび前記出口バルブの下側に配置される、請求項２に記載のフィルタマニホールドシステム。
【請求項４】
前記入口バルブおよび前記出口バルブはそれぞれ、前記通路の近傍に配置されて開位置と閉位置との間で移動する楔状スリーブを備え、前記楔状スリーブが、前記ピンチアームをスライド可能に受ける第１の穴と、前記開位置と前記閉位置との間の移動に応じて前記ピンチアームとスライド可能に係合するテーパ壁とを有し、前記テーパ壁は、前記楔状スリーブが前記閉位置にあるときに前記入口バルブおよび前記出口バルブが閉じられるように前記ピンチアームを前記閉位置へ移動させ、前記楔状スリーブが前記開位置にあるときに、前記楔状スリーブによって前記ピンチアームが前記開位置へ移動できる、請求項１に記載のフィルタマニホールドシステム。
【請求項５】
前記入口バルブおよび前記出口バルブはそれぞれ、前記楔状スリーブを前記閉位置へ向けて付勢するように前記楔状スリーブと動作可能に係合するスプリングを備える、請求項４に記載のフィルタマニホールドシステム。
【請求項６】
前記バルブアクチュエータが、ベースと、前記バルブアクチュエータを前記非作用位置へ向けて付勢するアクチュエータスプリングと、前記ベースに取り付けられるとともに、前記フィルタカプセルが前記フィルタトレイ内へ挿入されるときの前記フィルタカプセルの経路内へ突出して前記フィルタカプセルが前記バルブアクチュエータを前記作用位置に移動させることができるようにするべく配置される、少なくとも１つの外側に突出するピンとを備える、請求項５に記載のフィルタマニホールドシステム。
【請求項７】
前記バルブアクチュエータが、前記ベースに取り付けられて前記入口バルブおよび前記出口バルブの下側に配置される複数の脚を備え、前記脚は、前記バルブアクチュエータが前記作用位置にありかつ前記キャリッジアセンブリが前記最終位置にあるときに前記脚が前記楔状スリーブと係合して前記ピンチアームが前記開位置へ移動できるようにする開位置に前記楔状スリーブを押圧するように配置され、前記脚は、前記バルブアクチュエータが前記非作用位置にありかつ前記キャリッジアセンブリが前記最終位置にあるときに前記脚が前記楔状スリーブと係合せずに前記楔状スリーブが前記閉位置のままであるように配置される、請求項６に記載のフィルタマニホールドシステム。
【請求項８】
前記入口バルブおよび前記出口バルブはそれぞれシールチューブを備え、該シールチューブは、前記ピンチアームが前記開位置にあるときに前記チューブが開くように前記ピンチアーム間に配置され、前記ピンチアームが、前記チューブの壁を互いにシールさせて前記入口バルブおよび前記出口バルブを閉じるべく前記シールチューブに抗して前記閉位置に移動する、請求項１に記載のフィルタマニホールドシステム。
【請求項９】
前記昇降アセンブリが第１の端部および第２の端部を有するクランクリンクを備え、前記クランクリンクの一端部が前記ハンドルに対して動作可能に取り付けられ、第２の端部は、前記ハンドルの前記開位置と前記閉位置との間の回転により前記クランクリンクの前記第２の端部が前記キャリッジアセンブリを前記初期装填位置と前記最終位置との間で移動させるように前記キャリッジアセンブリに動作可能に取り付けられる、請求項１に記載のフィルタマニホールドシステム。
【請求項１０】
前記キャリッジアセンブリは、前記フィルタトレイに取り付けられて垂直方向に移動する昇降アームを備え、前記ハウジングが、前記昇降アームと前記クランクリンクとの間に配置される垂直なスロットを有するとともに、前記ハンドルの回転動作が前記キャリッジアセンブリの垂直動作に変換するように前記昇降アームが前記クランクリンクの前記第２の端部に動作可能に取り付けられるようになっている、請求項９に記載のフィルタマニホールドシステム。
【請求項１１】
物質を含む流れを濾過するフィルタカプセルを受けて保持するためのフィルタマニホールドにおいて、前記マニホールドが、
ハウジングと、
前記フィルタカプセルへの前記流れのアクセスを制御するためのバルブと、
前記ハウジング内に配置されるキャリッジアセンブリであって、前記フィルタカプセルを受けて保持するためのフィルタトレイと、前記フィルタトレイを初期装填位置と最終位置との間で移動させるために前記フィルタトレイと動作可能に係合する昇降アームと、前記バルブを作動させるために前記フィルタトレイと動作可能に係合するバルブアクチュエータとを備え、前記バルブアクチュエータは、前記フィルタトレイ内への前記フィルタカプセルの挿入に応じて、前記バルブアクチュエータが前記バルブを開かない非作用位置と、前記バルブアクチュエータが前記バルブを開く作用位置との間で移動する、キャリッジアセンブリと、
開位置と閉じられた作用位置との間で移動するように前記ハウジングに回転可能に装着されるハンドルを備える昇降アセンブリであって、前記ハンドルは、該ハンドルの移動に応じて前記昇降アームが前記初期装填位置と前記最終位置との間で移動するように前記昇降アームに動作可能に接続され、前記昇降アームは、前記ハンドルが前記開位置にあるときに前記フィルタトレイが前記フィルタカプセルを受けることができるように前記初期装填位置に配置され、前記昇降アームおよび前記バルブアクチュエータが、前記ハンドルの前記閉じられた作用位置への移動に応じて該バルブアクチュエータの前記作用位置に上昇される、昇降アセンブリと、を備え、
前記バルブは、前記流れが前記バルブを通過できるようにする通路と、前記流れが前記通路を通過することを防止する閉位置と前記流れが前記通路を通過して前記フィルタカプセルと通じることができるようにする開位置との間で移動するピンチアームとを備え、前記ピンチアームは、前記バルブアクチュエータが前記作用位置にありかつ前記ハンドルが前記閉位置にあるときに前記開位置に移動して前記バルブを開く、
フィルタマニホールド。
【請求項１２】
前記バルブアクチュエータが、ベースと、前記バルブアクチュエータを前記非作用位置へ向けて付勢するアクチュエータスプリングと、前記ベースに取り付けられるとともに、前記フィルタカプセルが前記フィルタトレイ内へ挿入されるときの前記フィルタカプセルの経路内へ突出して前記フィルタカプセルが前記バルブアクチュエータを前記作用位置に移動させることができるようにするべく配置される、少なくとも１つの外側に突出するピンとを備える、請求項１１に記載のフィルタマニホールド。
【請求項１３】
前記バルブアクチュエータが、前記ベースに取り付けられる少なくとも１つの脚を備え、前記脚は、前記バルブアクチュエータが前記作用位置にありかつ前記キャリッジアセンブリが前記最終位置にあるときに前記脚が前記バルブと係合して前記ピンチアームを前記開位置に移動させるように、および、前記バルブアクチュエータが前記非作用位置にありかつ前記キャリッジアセンブリが前記最終位置にあるときに前記脚が前記バルブと係合せずに前記バルブが閉位置のままであるように、前記バルブの下側に配置される、請求項１２に記載のフィルタマニホールド。
【請求項１４】
前記バルブは、前記通路の近傍に配置されて開位置と閉位置との間で移動する楔状スリーブを備え、前記楔状スリーブが、前記ピンチアームをスライド可能に受ける第１の穴と、前記開位置と前記閉位置との間の移動に応じて前記ピンチアームとスライド可能に係合するテーパ壁とを有し、前記テーパ壁は、前記楔状スリーブが前記閉位置にあるときに前記バルブが閉じられるように前記ピンチアームを前記閉位置へ移動させ、前記楔状スリーブが前記開位置にあるときに、前記楔状スリーブによって前記ピンチアームが前記開位置へ移動できる、請求項１１に記載のフィルタマニホールド。
【請求項１５】
前記バルブが、前記楔状スリーブを前記閉位置へ向けて付勢するように前記楔状スリーブと動作可能に係合するスプリングを備える、請求項１４に記載のフィルタマニホールド。
【請求項１６】
前記バルブアクチュエータが、ベースと、前記バルブアクチュエータを前記非作用位置へ向けて付勢するアクチュエータスプリングと、前記ベースに取り付けられるとともに、前記フィルタカプセルが前記フィルタトレイ内へ挿入されるときの前記フィルタカプセルの経路内へ突出して前記フィルタカプセルが前記バルブアクチュエータを前記作用位置に移動させることができるようにするべく配置される、少なくとも１つの下方へ突出するピンとを備える、請求項１５に記載のフィルタマニホールド。
【請求項１７】
前記バルブアクチュエータが、前記ベースに取り付けられて前記バルブの下側に配置される少なくとも１つの外側に突出する脚を備え、前記脚は、前記バルブアクチュエータが前記作用位置にありかつ前記キャリッジアセンブリが前記最終位置にあるときに前記脚が前記楔状スリーブと係合して前記ピンチアームが前記開位置へ移動できるようにする開位置に前記楔状スリーブを押圧するように配置され、前記脚は、前記バルブアクチュエータが前記非作用位置にありかつ前記キャリッジアセンブリが前記最終位置にあるときに前記脚が前記楔状スリーブと係合せずに前記楔状スリーブが前記閉位置のままであるように配置される、請求項１６に記載のフィルタマニホールド。
【請求項１８】
前記バルブはシールチューブを備え、該シールチューブは、前記ピンチアームが前記開位置にあるときに前記チューブが開くように前記ピンチアーム間に配置され、前記ピンチアームが、前記チューブの壁を互いにシールさせて前記バルブを閉じるべく前記シールチューブに抗して前記閉位置に移動する、請求項１１に記載のフィルタマニホールド。
【請求項１９】
前記昇降アセンブリが第１の端部および第２の端部を有するクランクリンクを備え、前記クランクリンクの一端部が前記ハンドルに対して動作可能に取り付けられ、第２の端部が、前記ハンドルの前記開位置と前記閉位置との間の回転により前記クランクリンクの前記第２の端部が前記キャリッジアセンブリを前記初期装填位置と前記最終位置との間で移動させるように前記キャリッジアセンブリに動作可能に取り付けられる、請求項１１に記載のフィルタマニホールド。
【請求項２０】
前記キャリッジアセンブリが、前記フィルタトレイに取り付けられて垂直方向に移動する昇降アームを備え、前記ハウジングが、前記昇降アームと前記クランクリンクとの間に配置される垂直なスロットを有するとともに、前記ハンドルの回転動作が前記キャリッジアセンブリの垂直動作に変換するように前記昇降アームが前記クランクリンクの前記第２の端部に動作可能に取り付けられるようになっている、請求項１９に記載のフィルタマニホールド。
【発明の詳細な説明】
【技術分野】
【０００１】
[0001]この発明は、フィルタマニホールドに関し、特に、円筒状のフィルタカプセルを保持するためのマニホールドに関する。
【背景技術】
【０００２】
[0002]フィルタカプセルは、望ましくない物質を流体および気体の流れから濾過するための円筒状のフィルタ要素を有する。望ましくない物質は、固形物またはコロイド微粒子、ゲル、および、気泡を含む場合がある。フィルタカプセルは、少なくとも入口ポートおよび出口ポートと、流れを入口ポートと出口ポートとの間で方向付けるためのハウジングとを有する。また、フィルタカプセルは、入口ポートと出口ポートとの間に配置されて流れ中の望ましくない物質を濾過するフィルタメディアも有する。
【０００３】
[0003]濾過されるべき流体／気体流れをフィルタカプセル内へ導入するとともに清浄な流れをフィルタカプセルから引き出すためにマニホールドが使用されてもよい。マニホールドは、入口ポートを介して物質を含む流れをフィルタへ供給してもよく、また、出口ポートを介して濾過された流れあるいは濾過物を引き出してもよい。フィルタは、供給物取付具および濾過物取付具をフィルタカプセルの入口ポートおよび出口ポートのそれぞれにシール状態で取り付けることができるようにマニホールドに装着されなければならない。多くのマニホールドにおいて、フィルタカプセルは、マニホールドの対応する雌取付具に手動で捩じ込むことができる雄取付具を使用してマニホールドに装着される。同様に、例えば流れから取り除かれた望ましくない物質でフィルタメディアが詰まることによりフィルタカプセルの耐用年数が経過してしまったときには、フィルタカプセルの取付具を対応する取付具から手動で外すことによりフィルタカプセルをマニホールドから取り外さなければならない。同様に、マニホールドの複数の取付具は、フィルタカプセルの入口ポートおよび出口ポートに対して手動で取り付けられなければならず、その後、フィルタカプセルが流れを処理できるようにするために手動で開放されあるいは閉じられなければならない。
【０００４】
[0004]このタイプのマニホールドは多くの不都合を有する。マニホールドは複数のフィルタカプセルを保持し得るため、複数のカプセルの取り付けおよび取り外しは、時間がかかって、複雑となり、手練のプロセスとなる場合がある。フィルタカプセルがマニホールドに適切に着座されるときを確かめて、カプセルとマニホールドとの間の適切な流体密のシールを保証することが難しい場合がある。同様に、流れをカプセル内へ導入するために供給物取付具および抽出物取付具が開放される前にフィルタカプセルが存在して適切に着座されることを保証することが難しい場合もある。これは、有毒なあるいは腐食性の多くの流体に関して、また、流体で満たされたカプセルを取り扱うことが危険となり得るときに、特に重要である。
【発明の概要】
【０００５】
[0005]本発明によれば、フィルタカプセルを迅速にかつ容易に装填できるようにするとともに、フィルタカプセルがマニホールド内で適切にシールされるときにユーザがマニホールドを開放できるようにし、それにより、カプセルとマニホールドとの間で適切な流体密のシールを保証する、フィルタマニホールドが提供される。フィルタマニホールドは、物質を含む流れを濾過するためのフィルタカプセルと、ハウジングと、ハウジング内に配置されるキャリッジアセンブリとを備える。
【０００６】
[0006]キャリッジアセンブリは、フィルタカプセルを受けて保持するためのフィルタトレイを備える。昇降アームが、フィルタトレイを初期装填位置と最終位置との間で移動させるためにフィルタトレイと動作可能に係合する。バルブアクチュエータが、入口バルブおよび出口バルブを作動させるためにフィルタトレイと動作可能に係合し、この場合、バルブアクチュエータは、フィルタトレイ内へのフィルタカプセルの挿入に応じて、バルブアクチュエータが入口バルブおよび出口バルブを開かない非作用位置と、バルブアクチュエータが入口バルブおよび出口バルブを開く作用位置との間で移動するようになっている。
【０００７】
[0007]フィルタマニホールドは昇降アセンブリを更に備える。昇降アセンブリは、初期位置または開位置と作用最終位置または閉位置との間で移動するようにハウジングに回転可能に装着されるハンドルを有する。ハンドルは、該ハンドルの移動に応じて昇降アームが開位置と閉位置との間で移動するように昇降アームに動作可能に接続される。昇降アームは、ハンドルが初期位置にあるときにフィルタトレイがフィルタカプセルを受けることができるように初期装填位置に配置される。昇降アームおよびバルブアクチュエータは、ハンドルの作用位置への移動に応じて作用位置に上昇される。
【０００８】
[0008]フィルタマニホールドシステムは、ハウジング内に配置される、流れをフィルタカプセルへ供給するための入口バルブ、および、流れをフィルタカプセルから送出するための出口バルブを更に備える。入口バルブおよび出口バルブは、流れがバルブを通過することを防止する閉位置と入口バルブおよび出口バルブがフィルタカプセルと流体連通するように流れが入口バルブおよび出口バルブを通過できるようにする開位置との間で移動するピンチアームを有する。ピンチアームは、バルブアクチュエータが作用位置にありかつハンドルが作用位置にあるときに開位置に移動して入口バルブおよび出口バルブを開く。
【０００９】
[0009]好ましい実施形態では、フィルタマニホールドシステムがバルブアクチュエータを備え、該バルブアクチュエータは、ベースと、バルブアクチュエータを非作用位置へ向けて付勢するアクチュエータスプリングと、ベースに取り付けられる少なくとも１つの下方へ突出するピンとを有する。ピンは、フィルタカプセルがフィルタトレイ内へ挿入されるときのフィルタカプセルの経路内へ突出してフィルタカプセルがバルブアクチュエータを作用位置に移動させることができるようにするべく配置される。バルブアクチュエータは、ベースに取り付けられて入口バルブおよび出口バルブの下側に配置される複数の直立脚を更に備えてもよい。脚は、バルブアクチュエータが作用位置にありかつフィルタトレイが最終位置にあるときに脚がバルブと係合してピンチバルブを開位置に移動させるように配置される。バルブアクチュエータが非作用位置にありかつフィルタトレイが最終位置にあるときには、脚がバルブと係合せず、また、前記バルブが閉位置のままである。
【００１０】
[0010]バルブは、上側開位置と下側閉位置との間で移動する楔状スリーブを備えることが好ましい。楔状スリーブは、ピンチアームをスライド可能に受ける第１の穴と、上側開位置と下側閉位置との間の移動に応じてピンチアームをスライド可能に係合するテーパ壁とを有する。テーパ壁は、楔状スリーブが下側閉位置にあるときにバルブが閉じられるようにピンチアームを閉位置へ移動させる。楔状スリーブのテーパ壁により、楔状スリーブが上側開位置にあるときにピンチアームが開位置へ移動できる。
【００１１】
[0011]更なる他の実施形態において、バルブは、楔状スリーブを下側閉位置へ向けて付勢するために楔状スリーブと動作可能に係合するスプリングを備えてもよい。したがって、ベースに取り付けられて入口バルブおよび出口バルブの下側に配置される複数の直立脚は、脚が楔状スリーブと係合して楔状スリーブを上側開位置に押圧するように配置されることが好ましい。この位置で、ピンチアームはバルブアクチュエータが作用位置にあるときおよびフィルタトレイが最終位置にあるときに開位置へ移動することが可能である。また、脚は、バルブアクチュエータが非作用位置にありかつフィルタトレイが最終位置にあるときに脚が楔状スリーブと係合せずに楔状スリーブが下側閉位置のままであるように配置される。
【００１２】
[0012]好ましくはバルブが柔軟なシールチューブを備えてもよく、シールチューブは、ピンチアームが開位置にあるときにチューブが開くようにピンチアーム間に配置され、ピンチアームは、チューブの壁を互いにシール接触させてバルブを閉じるべく閉位置でシールチューブに押し付く。
【００１３】
[0013]以下の図面を参照して、本発明の好ましい実施形態について更に詳しく説明する。以下の図面には本発明の様々な例示的な実施形態が示されるが、図面は、本発明の範囲を限定するために使用されるべきでない。
【図面の簡単な説明】
【００１４】
【図１】マニホールドおよびフィルタカプセルの１つの実施形態の斜視図である。
【図２】フィルタカプセルおよびキャリッジアセンブリの斜視図である。
【図３】キャリッジアセンブリの分解図である。
【図４】流体がバルブを通過するのを防止する閉位置におけるバルブアセンブリのうちの１つの斜視図である。
【図５】流体がバルブを通過できるようにする開位置におけるバルブアセンブリのうちの１つの斜視図である。
【図６】開位置にあるバルブを示す図５の線６−６に沿ってとられたバルブアセンブリのうちの１つの断面図である。
【図７】中間位置にあるバルブを示すバルブアセンブリのうちの１つの断面図である。
【図８】閉位置にあるバルブを示す図４の線８−８に沿ってとられたバルブアセンブリのうちの１つの断面図である。
【図９】初期位置または下側位置から上側位置または作用位置に移動するキャリッジアセンブリ（フィルタカプセルを伴わない）とバルブアセンブリのうちの１つとを示す斜視／概略図であり、バルブは閉位置のままである。
【図１０】初期位置または下側位置から上側位置または作用位置に移動するキャリッジアセンブリ（フィルタカプセルを伴わない）とバルブアセンブリのうちの１つとを示す斜視／概略図であり、バルブは閉位置のままである。
【図１１】初期位置または下側位置から上側位置または作用位置に移動するキャリッジアセンブリ（フィルタカプセルを伴う）とバルブアセンブリのうちの１つとを示す斜視／概略図であり、バルブアセンブリは開位置にある。
【図１２】初期位置または下側位置から上側位置または作用位置に移動するキャリッジアセンブリ（フィルタカプセルを伴う）とバルブアセンブリのうちの１つとを示す斜視／概略図であり、バルブアセンブリは開位置にある。
【図１３】キャリッジアセンブリを初期位置と作用位置との間で移動させる昇降機構を示すマニホールドの部分分解図である。
【図１４】カプセルアセンブリ、フィルタカプセル（仮想線で示す）、および、初期位置にあるハンドルアセンブリを示すために外側ハウジングの一部が除去されたマニホールドの正面図である。
【図１５】カプセルアセンブリ、フィルタカプセル（仮想線で示す）、および、中間位置にあるハンドルアセンブリを示すために外側ハウジングの一部が除去されたマニホールドの正面図である。
【図１６】カプセルアセンブリ、フィルタカプセル（仮想線で示す）、および、最終位置または装填位置にあるハンドルアセンブリを示すために外側ハウジングの一部が除去されたマニホールドの正面図である。
【図１７】マニホールドハウジングの一部および２つのバルブの部分分解図である。
【発明を実施するための形態】
【００１５】
[0029]この詳細な説明が本発明の典型的な実施形態を与えることが理解される。本発明の他の実施形態がこの詳細な説明における実施形態とは細部において異なる場合があるため、詳細な説明は、その時点で論じられている特定の実施形態を参照しようとするものであり、より一般的に本発明の範囲に関して任意の限定を示唆しようとするものではない。
【００１６】
[0030]図１は、フィルタカプセル１２を受けて保持した後、流体または気体の流れがフィルタカプセル１２へ導入され得るあるいはフィルタカプセル１２から引き出され得るようにフィルタカプセル１２と共に流体密のシールを形成するためのマニホールド１０を示す。通常の動作中、マニホールド１０の内部構成要素は、通常は、フロントプレート８３、２つのサイドプレート８４、トッププレート８５、およびレアプレート８６を含むマニホールドハウジング８０によって覆われる。参照を容易にするため、マニホールドハウジング８０は、本発明の図示を容易にするべく図面の多くにおいて除去されてしまっている。マニホールドは、少なくとも１つのバルブを有するが、流体源（図示せず）とフィルタカプセル１２との間の流体連通を可能にする入口バルブおよび出口バルブ１６，１８を有することが好ましい。
【００１７】
[0031]図２に最も良く示されるように、フィルタカプセル１２は略円筒形態を有する。フィルタカプセル１２は、少なくとも入口ポート２０ａおよび出口ポート２０ｂと、入口ポート２０ａと出口ポート２０ｂとの間の流れを方向付けるためのハウジングとを有することが好ましい。入口ポート２０ａは微粒子を含む流れを受け、また、出口ポート２０ｂは、濾過プロセス後の微粒子のない清浄な濾過物を送出する。入口ポート２０ａと出口ポート２０ｂとの間に配置されるフィルタメディア（図示せず）が、流れの中にある例えば固形物またはコロイド微粒子、ゲル、および、気泡を含む望ましくない物質を濾過して取り除く。
【００１８】
[0032]マニホールド１０は、フィルタカプセル１２を受けて保持するためのキャリッジアセンブリ３０を有する。キャリッジアセンブリ３０は、（１）図１４に示される下側位置または初期位置と、（２）図１５に示される中間位置と、（３）図１および図１６に示される上側位置または最終位置との間で略垂直方向に移動する。キャリッジアセンブリ３０が下側位置にあるときに、図２に最も良く示されるようにフィルタカプセル１２をキャリッジアセンブリ３０へ解放可能に挿入できるとともにキャリッジアセンブリ３０から抜去できる。図２は、カプセル１２の上端の周囲に配置される取り外し可能なカラー２２を示し、このカラー２２は、キャリッジアセンブリ３０内へのフィルタカプセル１２の挿入を容易にする。カラー２２は、フィルタカプセル１２の操作も容易にするフィンガタブ２３を有する。図１４〜図１６ではフィルタカプセル１２が仮想線で示される。
【００１９】
[0033]マニホールド１０はハンドル２４を有する。ハンドル２４が（１）図１４における初期位置または開位置と、（２）図１５における中間位置と、（３）図１および図１６における最終位置または閉位置との間で回転されると、ハンドル２４は、キャリッジアセンブリ３０およびフィルタカプセル１２を下側位置（図１４）から上側位置（図１６）に上昇させる。通常の濾過作業中、マニホールドの入口バルブおよび出口バルブ１６，１８は、フィルタカプセル１２がマニホールド内に適切に装填されてマニホールドのバルブ１６，１８がフィルタの入口ポートおよび出口ポート２０ａ，２０ｂに流体密の態様で着座されるときにだけ開かれてもよい。
【００２０】
[0034]マニホールドのバルブ１６，１８の好ましい実施形態が図４から図１２に更に詳しく示される。マニホールドが少なくとも１つのバルブを使用するのが分かる。図示の実施形態では、マニホールドが２つのバルブを使用するが、両方のバルブが同じ態様で動作するため、図の一部は、一方のバルブのみを示すように簡略化されてしまっている。各バルブ５０は開位置と閉位置とを有する。開位置では、流体がバルブ５０を通過できる。閉位置において、バルブ５０は、バルブ１６，１８がフィルタカプセル１２のポート２０ａ，２０ｂに適切に着座されるまで、流体がバルブ５０を通過するのを防止する閉じられた流体密のシールを形成する。図８および図９は、キャリッジアセンブリ３０が下側位置にあって、バルブがフィルタカプセル１２に着座されず、それにより、バルブが閉位置に配置されて閉じられた流体密のシールを形成する場合を示している。図６および図１２は、キャリッジアセンブリ３０およびフィルタカプセル１２の両方が上側位置まで上昇され、それにより、バルブ１６，１８をフィルタのポート２０ａ，２０ｂに適切に着座させることができる場合を示している。この位置では、キャリッジアセンブリ３０上に配置されるバルブアクチュエータ３８に応答してバルブ５０が開位置に移動する。
【００２１】
[0035]図３におけるキャリッジアセンブリ３０の好ましい実施形態の分解図を参照すると、キャリッジアセンブリ３０は、メインシャトル３２、フィルタトレイ３４、２つの直立した昇降アーム３６、および、バルブアクチュエータ３８を備える。メインシャトル３２は、略水平な本体３２ａ、２つの従属側面３２ｂ、および、従属後壁３２ｃを有する。従属側面３２ｂは、互いの方へ向けて内側に突出する小リップ３２ｄを有する。図３に最も良く示されるように、本体３２ａ、従属側面３２ｂ、および、リップ３２ｄは、フィルタトレイ３４をスライド可能に受けるようになっているチャネル３３を形成する。メインシャトル３２の従属側面３２ｂは、メインシャトル３２内にフィルタトレイ３４を位置合わせして保持するのに役立つための１つ以上のスロットおよび開口を有してもよい。好ましい実施形態において、従属側面３２ｂは、スロット４０ａと、保持スロット４１ａとを有する。保持スロット４１ａは、フィルタトレイ３４上の戻り止め（図中に４０ｂ／４１ｂのラベルが付される）と協働して、フィルタトレイ３４をシャトル３２に対して固定する。スロット４０ａは、ユーザの指が戻り止め４０ｂ／４１ｂを押圧するための隙間を与える。
【００２２】
[0036]好ましい実施形態において、フィルタトレイ３４は、本体３４ａと、２つの従属側面３４ｂとを有する。フィルタトレイ側面３４ｂは、メインシャトル３２のスロット４０ａ，４１ａと協働する少なくとも１つの戻り止め４０ｂ／４１ｂを有する。戻り止め４０ｂ／４１ｂは、トレイ側面３４ｂの可撓性部分として形成されることが好ましい。外側に付勢される戻り止めは、該戻り止めがメインブラケット側面３２ｂと係合するときに戻り止めがメインシャトル３２内へのフィルタトレイ３４の挿入を妨げないように内側に屈曲するようになっている。戻り止め４１ｂが壁を乗り越えると、戻り止めは、外側に付勢されて、保持スロット４１ａ内に緊密に嵌まり込み、それにより、フィルタトレイ３４をメインシャトル３２内に保持するようになっている。戻り止め４１ｂがスロット４１ａを乗り越えるように戻り止め４０ｂを内側に押し込んだ後にトレイ３４をシャトル３２からスライド可能に引き抜くことによってフィルタトレイ３４をメインシャトル３２から取り外すことができるのが分かる。
【００２３】
[0037]メインシャトル３２は複数のスロットまたは穴３５を有し、これらのスロット３５は、２つの直立した昇降アーム３６をチャネルからスロット３５内へ挿入できるようにする。また、昇降アーム３６の上端は、昇降機構に解放可能に取り付けられてもよい少なくとも１つのアーム穴３９も有する。昇降アーム３６は下端リム３６ａを有し、この下端リム３６ａは、スロット３５よりも僅かに幅広く、昇降アーム３６がスロット３５を通過するのを防止する。昇降アーム３６は、該アームがメインシャトル３２のスロット３５を通過する際に僅かに撓む柔軟なテーパ部３６ｂを有してもよい。テーパ部３６ｂは、スロット３５を通過すると、本体３２ａに対するスナップ嵌合をもたらすように拡張する。昇降アーム３６がスロット３５内に挿入されてフィルタトレイ３４がメインシャトル３２内へスライド可能に挿入された後に、昇降アーム３６がシャトル本体３２ａとフィルタトレイ本体３４ａとの間に捕捉されるのが分かる。その結果、昇降アーム３６を押すおよび／または引くことにより、キャリッジアセンブリ３０およびフィルタカプセル１２が垂直方向に移動する。また、キャリッジアセンブリ３０は、２つの直立した昇降アーム３６を上昇および下降させる昇降機構に応答して上昇および下降されてもよいことが分かる。組み立てを容易にするため、フィルタトレイ本体３４ａは、フィルタトレイ３４がメインシャトル３２内に挿入されるときにアームの下端リム３６ａのための隙間を与える張出部３１を形成する。
【００２４】
[0038]メインシャトル３２は、バルブアクチュエータ３８を受けるための少なくとも１つのアクチュエータスロット４３、好ましくは２つのアクチュエータスロット４３も有しており、バルブアクチュエータ３８が非作用位置と作用位置との間で移動できるようにする。バルブアクチュエータ３８は、２組の平行バーにより形成される略Ｈ形状のベース４５と、２組の直立した平行脚４６と、アクチュエータスロット４３を通じて下方へ突出する少なくとも１つのアクチュエータピン４４、好ましくは２つのアクチュエータピン４４とを有することが好ましい。非作用位置において、キャリッジアセンブリ３０内に配置されるアクチュエータスプリング４７は、アクチュエータ３８をメインブラケットチャネルの開口へ向けて（すなわち、図３の左側に）外側に付勢する。作用位置において、フィルタカプセル１２は、該フィルタカプセル１２がキャリッジアセンブリ３０内へスライド可能に挿入される際に、アクチュエータスプリング４７の付勢に打ち勝ってアクチュエータピン４４をブラケット後壁へ向けて（すなわち、図３の右側に）押圧する。フィルタ１２がアクチュエータピン４４を押圧すると、直立した平行脚４６を含むバルブアクチュエータ３８全体が作用位置に移動される。フィルタ１２がキャリッジアセンブリから取り外されると、アクチュエータスプリング４７は、アクチュエータピン４４をチャネル開口３３へ向けて押圧し、それにより、バルブアクチュエータ３８を作用位置から非作用位置に移動させる。本発明の好ましい実施形態では、フィルタカプセルがキャリッジアセンブリ内に装填されるときにだけバルブアクチュエータが作用位置にあるのが分かる。
【００２５】
[0039]メインシャトル３２が穴１６ａ，１８ａを有し、また、フィルタトレイ３４が穴１６ｂ，１８ｂを有しており、これらの穴は、入口バルブおよび出口バルブ１６，１８にそれぞれ対応するとともに、入口バルブおよび出口バルブ１６，１８がキャリッジアセンブリ３０を通過してフィルタ１２と共に流体密のシールを形成できるようにする。これらの穴は、バルブアクチュエータ３８が非作用位置と作用位置との間で移動する際にこれらの穴が塞がれないように配置されるのが分かる。
【００２６】
[0040]図４〜図１２に更に詳しく示される入口バルブおよび出口バルブ１６，１８は、濾過されるべき流体／気体の流れの供給源に接続されてもよい。マニホールド１０は、少なくとも１つのバルブ５０、好ましくは入口バルブおよび出口バルブ１６，１８を有する。他の実施形態では、フィルタカプセル１２内の空気を抜くために第３のバルブが使用されてもよい。バルブ５０は、バルブハウジング５３内に配置されるバルブ取付具５２と、上側ポートキャップ５４と、スプリングプレート５５とを有する。バルブハウジング５３は、雄ねじをその上部および下部に有する。上側ポートキャップ５４は、流体密のシールを形成するためにバルブハウジング５３の上部の雄ねじと協働する雌ねじを有する。バルブ取付具５２およびスプリングプレート５５は、バルブハウジング５３と上側ポートキャップ５４との間に配置されて保持される。
【００２７】
[0041]バルブは、スプリングプレート５５と楔状スリーブ５７との間に配置されるスプリング５６を有する。スプリングプレート５５よりも僅かに幅広いバルブハウジング５３は、スプリング５６が楔状スリーブ５７を図４〜図１２では下向きであるスプリングプレート５５から離れる方向に付勢できるようにスプリングプレート５５の一方側を固定する。ピンチアーム５８がバルブハウジング５３に取り付けられており、この場合、ピンチアームは、図６に示される開位置と、図７に示される中間位置と、図８に示される閉位置との間でスプリングピン５９を中心に回動できるようになっている。
【００２８】
[0042]バルブは、ピンチアーム５８によって開閉され得るシールチューブ６０を有する。シールチューブ６０はピンチアーム５８によって挟まれて閉じられるため、シールチューブ６０は高弾性高分子材料から形成されることが好ましい。シールチューブ６０の一端部は、バルブ取付具５２の一端にある複数の返し、歯、または、溝５２ａに圧入態様で取り付けられてもよい。カプセルポート６２が複数の返し、歯、または、溝６２ａを使用してシールチューブ６０の他端に圧入態様で取り付けられてもよい。弁取付具５２およびカプセルポート６２の返し付き端部は、バルブ取付具５２とカプセルポート６２とバルブハウジング５３との間でのシールチューブ６０の圧縮を容易にするべくテーパ状を成すことが好ましい。カプセルポート６２は、該カプセルポート６２がフィルタカプセルの入口ポートおよび出口ポート２０ａ，２０ｂと解放可能に係合できるようにバルブシステムの底部に配置される。カプセルポート６２は、下側ポートキャップ６４を使用してバルブハウジング５３に固定される。下側ポートキャップ６４は、バルブハウジング５３の下部にある雄ねじと協働する雌ねじを有する。流体密のシールがシールチューブ６０とカプセルポート６２との間に形成される。図９〜図１０に最も良く示されるように、バルブ取付具５２、シールチューブ６０、および、カプセルポート６２は、フィルタカプセル１２と流体の流れとの間の流体連通を可能にする流体密の経路を形成する。
【００２９】
[0043]楔状スリーブ５７は、バルブハウジング５３およびピンチアーム５８をスライド可能に受けるようになっている第１の主穴６６を有する。バルブ取付具５２およびピンチアーム５８に対してスライドするようになっている楔状スリーブ５７は、図６〜図８にそれぞれ示されるように、（１）上側位置または開位置と、（２）中間の部分的に閉じられる位置と、（３）閉位置または下側位置との間で移動する。また、楔状スリーブ５７は、スプリング５６を受ける２つのスプリング穴６８も有する。固定スプリングプレート５５とスプリング穴６８との間に配置されるスプリング５６は、通常、楔状スリーブを図４および図８に示される閉位置または下側位置へ向けて下方へ付勢する。
【００３０】
[0044]図６〜図８に最も良く示されるように、第１の主穴６６は、該穴の上端から下端へ向けて外側にテーパ状を成す２つのテーパ壁６７を有する。楔状スリーブ５７の垂直移動がピンチアーム５８を開位置と閉位置との間で回動させるのが分かる。図６に示されるように、楔状スリーブ５７が上側位置または開位置にあると、ピンチアーム５８が第１の主穴６６の最も幅広い部分と係合し、それにより、弾性シールチューブ６０、および、存在する場合にはシールチューブ６０内の内部流体圧力は、ピンチアーム５８をシールチューブ６０から離れるように外側に付勢することができる。楔状スリーブ５７がバルブ取付具５２に対して下方へ移動するにつれて、テーパ壁６７が、アーム５８と係合して、これらのアームを図７に示される中間の部分的に閉じられる位置にシールチューブ６０に向けて内側に押圧し始める。楔状スリーブ５７が図８に示される閉位置に達すると、テーパ壁の最も狭い部分が、ピンチアーム５８と係合して、ピンチアーム５８がシールチューブ６０を締め付けて閉じるようにピンチアーム５８を内側に付勢し、それにより、流体が入口バルブおよび出口バルブ１６，１８を通過するのを防止する。
【００３１】
[0045]本発明によれば、入口バルブおよび出口バルブ１６，１８およびキャリッジアセンブリ３０は、互いに協働してバルブを開閉する。入口バルブおよび出口バルブ１６，１８が概ねマニホールドハウジング内に配置されるのが分かる。図９〜図１２を参照すれば分かるように、キャリッジアセンブリ３０が下側位置から上側位置へ向けて上方に移動すると、バルブアクチュエータ３８が楔状スリーブ５７と選択的に係合して楔状スリーブ５７を上方へ押し上げて、入口バルブおよび出口バルブ１６，１８を開くことができる。本発明の１つの態様によれば、バルブアクチュエータ３８は、フィルタカプセル１２がキャリッジアセンブリ３０内に配置されるときにだけ入口バルブおよび出口バルブ１６，１８を開くべく楔状スリーブ５７と係合する。フィルタカプセル１２がキャリッジアセンブリ３０内に装填されない場合には、キャリッジアセンブリ３０が上方に移動するが、バルブアクチュエータ３８は、楔状スリーブ５７と係合せず、楔状スリーブを押さない。図を簡略化するために、図９〜図１２には昇降アーム３６が示されないが、昇降アーム３６は、キャリッジアセンブリ３０を下側位置と上側位置との間で移動させるために使用される。
【００３２】
[0046]図９〜図１０は、フィルタカプセル１２を伴わないキャリッジアセンブリ３０を示す。フィルタカプセルがキャリッジアセンブリ内に装填されるまで、アクチュエータスプリング４７がバルブアクチュエータ３８をチャネル開口３３へ向けて（すなわち、図９〜図１２の右側に）付勢するため、バルブアクチュエータ３８は図９に示される非作用位置にとどまる。直立した平行脚４６のうちの少なくとも１つは、楔状スリーブ５７の両側の凹部５７ａの下側に配置される。キャリッジアセンブリ３０が上側位置まで上昇されると、図１０に最も良く示されるように、直立した平行脚４６の１つは、凹部５７ａに嵌まり込んで、楔状スリーブ５７と係合しない。他の直立した平行脚４６は楔状スリーブ５７と係合しない。このように、フィルタカプセル１２がキャリッジアセンブリ３０内に装填されないときには、入口バルブおよび出口バルブ１６，１８は閉じられたままである。
【００３３】
[0047]図１１〜図１２は、フィルタカプセル１２が装填されたキャリッジアセンブリ３０を示す。フィルタカプセル１２がチャネル３３内に挿入されると、カプセル１２は、アクチュエータスロット４３を貫通してチャネル内のフィルタカプセル１２の経路内に突出するアクチュエータピン４４と係合する。フィルタカプセルの内側への（すなわち、図１１〜図１２の左側への）移動に応じて、フィルタカプセルは、アクチュエータピン４４と係合して、アクチュエータスプリング４７の付勢力に打ち勝ち、アクチュエータピン４４およびバルブアクチュエータ３８を作用位置に（すなわち、図１１〜図１２の左側に）押圧する。バルブアクチュエータ３８が図１１〜図１２に示される作用位置にあると、直立した平行脚４６が楔状スリーブ５７の真下に配置される。したがって、キャリッジアセンブリ３０が上側位置まで上昇されると、直立した平行脚４６は、図１２に最も良く示されるように楔状スリーブ５７の底部と係合して、楔状スリーブ５７を開位置へ向けて上方に押し上げる。開位置では、テーパ壁６７がピンチアーム５８から離脱し、それにより、シールチューブ６０、および、存在する場合には内部流体圧力は、ピンチアーム５８をそれらの開位置に付勢することができる。バルブ１６，１８が常時閉じられるように付勢され、フィルタカプセル１２がキャリッジアセンブリ３０内に存在しない限り入口バルブおよび出口バルブ１６，１８が開かないことが分かる。
【００３４】
[0048]昇降アセンブリが図１３〜図１６に示される。図１３は、マニホールドハウジング８０の内部を示しており、マニホールドハウジング８０の内側に配置される昇降アセンブリの分解図を示している。図を簡略化するため、ハンドル２４は図１３には示さない。図１４〜図１６は、ユーザがアームを回転させる際の、図１４に示される初期位置または開位置と、図１５に示される中間位置と、図１６に示される最終位置または閉位置との間の昇降アセンブリの動きを示す。ユーザがアームを開位置と閉位置との間で回転させると、昇降アセンブリは、キャリッジアセンブリ３０を（１）図１４に示される下側位置または初期位置と、（２）図１５に示される中間位置と、（３）図１および図１６に示される上側位置または作用位置との間で略垂直方向に移動させる。キャリッジアセンブリ３０が初期位置にあるときに、図２に最も良く示されるようにフィルタカプセル１２をキャリッジアセンブリ３０へ解放可能に挿入できるとともにキャリッジアセンブリ３０から抜去できる。図１４〜図１６では、フィルタカプセル１２が破線で示される。ハンドル２４が図１４における開位置から図１５における中間位置および図１６における閉位置に回転されると、ハンドル２４は、キャリッジアセンブリ３０およびフィルタカプセル１２を初期位置または下側位置から最終位置または上側位置に上昇させる。
【００３５】
[0049]図１３を参照すると、キャリッジアセンブリ３０がマニホールドハウジング８０の底部付近に配置される。左右の支持構造体８１，８２がキャリッジアセンブリ３０の上端に装着される。図１７は、左側支持構造体８１、２つのバルブ１６，１８、および、バルブアクチュエータ３８の１つの実施形態を示す。左右の支持構造体８１，８２は、２つのバルブ１６，１８を受けて保持するようになっている２つの上端開口８９および下端開口９０を有する。上端開口８９は、ユーザが流体ラインをバルブ５０に取り付けて取付具を設置する際にバルブ５０が回転するのを防止するために六角形に形成されることが好ましい。図１７は、バルブのカプセルポート６２がバルブアクチュエータ３８のフレームを貫通する状態を概略的に示す。左右の支持構造体８１，８２は、２つの支持体を互いに結合させることを容易にする複数の協働ピン９２を有してもよい。マニホールドハウジング８０が完全に組み立てられると、フロントプレートおよびサイドプレート８３，８４（図１に示される）がマニホールドの内部を覆う。
【００３６】
[0050]図１３に示される昇降アセンブリを参照すると、右側支持構造体８２は、クランクリンク１０４を受けるようになっている突出シャフト１０２を有する。クランクリンク１０４は突出シャフト１０２に嵌合する穴１０６を有しており、この穴１０６は、図１４に示される開位置と図１６に示される閉位置との間でそのクランクリンク１０４が回転できるようにする。また、クランクリンク１０４は、右側支持壁８２のロック隆起部１０８，１０９と戻り止め態様で協働して昇降アセンブリを開位置および閉位置に保持する戻り止め１０７も有する。クランクリンク１０４は、歯１０５ａを伴うロック軸部１０５を有する。ハンドル２４は、クランクリンク１０４およびハンドル２４を一緒にロックするために歯１０５ａと協働するロック歯を有する。したがって、クランクリンク１０４は、ユーザによるハンドル２４の回転に応じて突出シャフト１０２の周りで回転する。
【００３７】
[0051]スライダリンク１１０の一端は、昇降アーム３６のアーム穴３９に嵌まり込むようになっている軸部１１２を有する。スライダリンク１１０の他端は、クランクリンク１０４上のシャフト１１１を受けるようになっている穴１１４を有する。マニホールドが組み立てられると、スライダリンク１１０が右側支持構造体８２とクランクリンク１０４との間に配置され、スライダリンク１１０がアーム穴３９およびシャフト１１１に対して回動する。右側支持構造体８２は、軸部１１２が垂直方向に移動できるようにするスロット９６を壁に有する。
【００３８】
[0052]昇降アセンブリを動作させるために、ハンドル２４およびキャリッジアセンブリ３０が図１４に示される初期開位置で始動する。この開位置では、フィルタカプセル１２をキャリッジアセンブリ３０内に挿入できるとともにキャリッジアセンブリ３０から抜去できる。戻り止め１０７とロック隆起部１０８とが戻り止め態様で協働してクランクリンク１０４を開位置に保持する。図１４において、アーム穴３９とシャフト１１１とに対して回動可能に固定されるスライダリンク１１０は、通常は、クランクリンク１０４の背後に位置されており、正面図では通常は見えない。しかしながら、スライダリンク１１０の動作を明らかにするために、スライダリンク１１０が破線で示される。ハンドル２４が閉位置へ向けて回転されると、歯１０５ａ，１０５ｂによりハンドル２４に対して回転方向でロックされるクランクリンク１０４は、開位置（すなわち、図１４）から閉位置（すなわち、図１６）へ向けて回転する。スライダリンク１１０とシャフト１１１との間の回動可能な接続がハンドル２４／クランクリンク１０４の回転動作をスライダリンクの軸部１１２およびキャリッジアセンブリの昇降アーム３６の垂直動作に変換するのが分かる。したがって、ユーザは、フィルタカプセル１２をキャリッジアセンブリ内に挿入して、ハンドル２４を回転させることによりフィルタカプセル１２を上昇させて入口バルブおよび出口バルブ１６，１８とシール係合させることができる。ハンドル２４が閉位置まで回転されると、戻り止め１０７がロック隆起部１０９と戻り止め態様で係合して、昇降アセンブリおよびフィルタカプセル１２が上側の作用位置に保持される。作用位置でのフィルタカプセル１２の存在によって、バルブが開くことができるとともに、流体の流れがフィルタカプセル１２の入口ポートおよび出口ポート２０ａ，２０ｂにアクセスできるのが分かる。
【００３９】
[0053]濾過プロセスが完了されると、ハンドル２４を閉位置（図１６）から開位置（図１４）に回転させることによってフィルタカプセル１２をマニホールドシステム１０から取り外すことができる。ハンドル２４が開位置へ向けて回転されると、歯１０５ａ，１０５ｂによりハンドル２４に対して回転方向でロックされるクランクリンク１０４が閉位置から開位置へ向けて回転する。戻り止め１０７がロック隆起部１０９から解放する。スライダリンク１１０とシャフト１１１との間の回動可能な接続は、ハンドル２４／クランクリンク１０４の時計回りの回転動作を（図１４〜図１６に示されるように）スライダリンクの軸部１１２およびキャリッジアセンブリの昇降アーム３６の下向きの垂直動作に変換する。
【００４０】
[0054]昇降アーム３６がキャリッジアセンブリを下降させると、バルブアクチュエータ３８および直立した平行脚４６も楔状スリーブ５７から離れるように下降される。直立した平行脚４６の下向きの動きに応じて、スプリング５６の下向きの付勢力が楔状スリーブ５７を下方へ移動させる。楔状スリーブ５７の下方への移動により、テーパ壁６７がピンチアーム５８と係合してピンチアーム５８を開位置（図６）から閉位置（図８）に回動させる。ピンチアーム５８に作用する力は、チューブ６０の弾性材料およびシールチューブ６０内の任意の流体圧力に打ち勝ち、それにより、バルブ５０を閉じて、任意の流体／気体の流れがバルブ５０を通過することを防止する。フィルタカプセル１２の不存在がバルブ５０の閉塞を自動的にもたらすことが分かる。
【００４１】
[0055]ハンドル２４が開位置に回転されると、戻り止め１０７がロック隆起部１０８と係合して、昇降アセンブリが下側の開位置に保持される。キャリッジアセンブリが下側位置または初期位置に配置されると、ユーザは、フィンガタブ２３を使用してフィルタカプセル１２をフィルタトレイ３４から引き出すことができる。
【００４２】
[0056]この開示は、例示的であって包括的でないように意図される。開示は、多くの変形例および代替例を当業者に示唆する。これらの変形例および代替例の全ては、本発明の範囲内および添付の特許請求の範囲内に含まれるように意図される。当該技術に精通している者は、本明細書中に記載される実施形態と等価であって本発明の範囲内および添付の特許請求の範囲内に含まれるように意図される他の等価物を認識できる。
【符号の説明】
【００４３】
１０…マニホールド、１２…フィルタカプセル、１６…入口バルブ、１８…出口バルブ、２０ａ…入口ポート、２０ｂ…出口ポート、２２…カラー、２３…フィンガタブ、２４…ハンドル、３０…キャリッジアセンブリ、３１…張出部、３２…メインシャトル、３２ａ、３４ａ…本体、３２ｂ、３４ｂ…従属側面、３２ｃ…従属後壁、３２ｄ…小リップ、３３…チャネル、３４…フィルタトレイ、３５、４０ａ、９６…スロット、３６…昇降アーム、３６ａ…下端リム、３６ｂ…テーパ部、３８…バルブアクチュエータ、３９、１０６…穴、４０ｂ、４１ｂ、１０７…戻り止め、４１ａ…保持スロット、４３…アクチエータスロット、４４…アクチュエータピン、４５…ベース、４６…平行脚、４７…アクチュエータスプリング、５０…バルブ、５２…取付具、５３…バルブハウジング、５４…上側ポートキャップ、５５…スプリングプレート、５６…スプリング、５７…楔状スリーブ、５８…ピンチアーム、５９…スプリングピン、６０…シールチューブ、６２…カプセルポート、６４…ポートキャップ、６６…主穴、６７…テーパ壁、６８…スプリング穴、８０…マニホールドハウジング、８１，８２…支持構造体、８３…フロントプレート、８４…サイド、プレート、８５…トッププレート、８９…上端開口、９０…下端開口、１０２…突出シャフト、１０４…クランクリンク、１０５…ロック軸部、１０５ａ，１０５ｂ…歯、１０８，１０９…ロック隆起部、１１０…スライダリンク、１１１，１１２…シャフト。
【図１】
0006044906.tif 000002
【図２】
0006044906.tif 000003
【図３】
0006044906.tif 000004
【図４】
0006044906.tif 000005
【図５】
0006044906.tif 000006
【図６】
0006044906.tif 000007
【図７】
0006044906.tif 000008
【図８】
0006044906.tif 000009
【図９】
0006044906.tif 000010
【図１０】
0006044906.tif 000011
【図１１】
0006044906.tif 000012
【図１２】
0006044906.tif 000013
【図１３】
0006044906.tif 000014
【図１４】
0006044906.tif 000015
【図１５】
0006044906.tif 000016
【図１６】
0006044906.tif 000017
【図１７】
0006044906.tif 000018